(57)【要約】　　　（修正有）【課題】自然分解性が改善された箸などの樹脂製品を得る。【解決手段】原料「とうもろこし」等を主体とした澱粉から得たポリ乳酸と、生分解樹脂又は自然崩壊樹脂とを配合し、必要に応じて、天然植物繊維を配合して、箸等の自然分解性樹脂製品を得る。【選択図】　　　図１
0003098731.tif 000002
【実用新案登録請求の範囲】
【請求項１】
とうもろこし等穀物澱粉から生成したポリ乳酸と、生分解樹脂又は自然崩壊樹脂とを配合したことを特徴とする自然分解性樹脂製品。
【請求項２】
とうもろこし等穀物澱粉から生成したポリ乳酸と、生分解樹脂又は自然崩壊樹脂と、天然植物繊維とを配合したことを特徴とする自然分解性樹脂製品。
【請求項３】
とうもろこし等穀物澱粉から生成したポリ乳酸と、生分解樹脂又は自然崩壊樹脂とを配合した自然分解性樹脂からなる箸又は割り箸。
【請求項４】
とうもろこし等穀物澱粉から生成したポリ乳酸と、生分解樹脂又は自然崩壊樹脂と、天然植物繊維とを配合した自然分解性樹脂からなる箸又は割り箸。
【考案の詳細な説明】
【０００１】
【考案の属する技術分野】
本考案は、箸、割り箸その他の、自然分解性が改善された樹脂製品に関するものである。
【０００２】
【従来の技術】
通常、樹脂製品（以下では適宜プラスチックと称する）は廃棄されても分解されないため、環境破壊の一因になっている。このため、プラスチックに自然界の微生物による分解性を持たせて、この問題を解決することを目的とするのが、自然分解性（あるいは自然崩壊性）プラスチックである。自然分解性プラスチックは、微生物利用系、化学合成系、天然物利用系の３つに大きく分類される。微生物利用系の中で、澱粉を用いるものは、澱粉と他の樹脂との混合のことが多く、細かくなるだけで完全分解しないものもある。このような自然分解性ないし自然崩壊性が一層改善された樹脂材料あるいは樹脂製品の出現が望まれている。
【０００３】
次に、日常使用される箸あるいは割り箸は、天然木材を使用したものと、プラスチックを使用したものとがある。このうち、使い捨ての割り箸はもっぱら天然木材を用いて製造されている。使い捨ての箸を環境問題から考えると、日本国内で１年間に２５０億膳が消費され、平均すると１年間に国民一人当り２００膳の割り箸を使用したことになる。
【０００４】
木材の計画性ない乱伐は、▲１▼洪水・濁水の原因となり、▲２▼植物による水の浄化作用を減じ、▲３▼大雨による土砂の流出となり、▲４▼大気中の二酸化炭素による地球温暖化をもたらし、▲５▼森林による安らぎや憩いの空間等等その公益的機能を失わせてしまうことが考えられる。
【０００５】
割り箸は樹齢２０−３０年の松や檜の間伐材で造られるが、使い捨て箸で、再利用されることはまだ未開発の分野である。木材に代えてプラスチックを使用することが考えられるが、廃棄物処理の問題が生じる。
そこで、自然分解性のよいプラスチックで成形した箸、台所用品その他のプラスチック製品の出現が待たれている。
【０００６】
【考案が解決しようとする課題】
この考案はこのような課題を解決して、自然分解性の改善されたプラスチック製品を得ることを目的とする。
また、自然分解性の改善されたプラスチックにより成形された箸、割り箸、台所用品等を得ることを目的とする。
【０００７】
【課題を解決するための手段】
この考案による箸、割り箸、その他の樹脂製品は、とうもろこし等穀物澱粉から生成したポリ乳酸と、生分解樹脂又は自然崩壊樹脂とを配合した自然分解性樹脂から成形したことを特徴とする。
【０００８】
また、この考案による箸、割り箸、その他の樹脂製品は、とうもろこし等穀物澱粉から生成したポリ乳酸と、生分解樹脂又は自然崩壊樹脂と、天然植物繊維とを配合した自然分解性樹脂から成形したことを特徴とする。
【０００９】
【考案の実施の形態】
図１は、この考案による箸の一例として二本一組の箸を示す図であり、（ａ）図は斜視図、（ｂ）図は平面図、両端部の立面図及び側面図を示す。
また、図２は、この考案による割り箸の一例を示す図であり、平面図、両端部の立面図及び側面図を示す。それぞれ、図中、符号１が箸を示す。
【００１０】
本考案による箸、割り箸その他の樹脂製品の製造においては、好適には先ず「とうもろこし」等から澱粉を抽出する。次に抽出した澱粉を発酵させて乳酸を作る。さらにこの乳酸を重合させてポリ乳酸をつくる。このポリ乳酸を、生分解樹脂又は自然崩壊樹脂と配合して、箸や割箸をつくる。その外につくるものとしては、箸状の台所用品やその他の台所用品、あるいはその他の樹脂製品（プラスチック製品と言ってもよい）を成形することもできる。なお、箸は２本１セットの繰返し使用される通常の箸であっても、割り箸などの使い捨て箸であってもよい。
このように本考案によれば、とうもろこし等穀物澱粉から生成したポリ乳酸と、生分解樹脂又は自然崩壊樹脂とを配合した自然分解性樹脂から成形した箸、割り箸その他のプラスチック製品を得ることが出来る。
また、このような本考案によれば、ポリ乳酸の作用によって自然分解性が促進され、自然分解性に優れた箸などのプラスチック製品を得ることができる。
【００１１】
また、本考案では、上記のようなポリ乳酸を素材とする樹脂に、さらに天然植物性繊維を配合して、箸や割箸、その他のプラスチック製品をつくることができる。
このようにすれば、自然分解性に優れているのに加えて、折れにくく、強度の強い箸などのプラスチック製品を得ることができる。
【００１２】
以上説明したように、本考案では、原料「とうもろこし」等を主体とした澱粉、又は、この澱粉と生分解樹脂又は自然崩壊樹脂とを配合して、無害で自然に還る樹脂を用いた箸を得ることができる。
「とうもろこし」等を成分とした樹脂は、土に埋没すると微生物分解され、水と炭酸ガスに分解され植物の養分として自然循環される。
また、「とうもろこし」等を成分とした樹脂は、焼却しても発熱カロリーが低く、低カロリーで燃焼するため、異臭や有害ガス（ダイオキシン）等の発生がない。
【００１３】
なお、本願は考案として記載したが、技術的思想としては、上述説明したように箸その他の樹脂製品の製造方法としても把握することができるものである。
【００１４】
【考案の効果】
以上説明したように、この考案によれば、自然分解性に優れた箸、割り箸、台所用品あるいはその他の樹脂製品を得ることができる。
例えば、木材を使用した箸及び割り箸を、本考案にかかる自然分解樹脂製の割り箸に切り替えれば、森林破壊や地球温暖化につながることがなく、環境保護にも寄することができる。
【図面の簡単な説明】
【図１】本考案にかかる二本一組の通常の箸の一例の構造を示す図。
【図２】本考案にかかる割り箸の一例の構造を示す図。
【符号の説明】
１　箸。
【図１】
0003098731.tif 000003
【図２】
0003098731.tif 000004
【手続補正書】
【提出日】平成15年8月19日(2003.8.19)
【手続補正１】
【補正対象書類名】明細書
【補正対象項目名】実用新案登録請求の範囲
【補正方法】変更
【補正の内容】
【実用新案登録請求の範囲】
【請求項１】
とうもろこし等穀物澱粉から生成したポリ乳酸と、生分解樹脂又は自然崩壊樹脂とを配合した自然分解性樹脂からなる箸又は割り箸。
【請求項２】
とうもろこし等穀物澱粉から生成したポリ乳酸と、生分解樹脂又は自然崩壊樹脂と、天然植物繊維とを配合した自然分解性樹脂からなる箸又は割り箸。